【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
電気コネクタシステムであって、
少なくとも１つの接触端子（４０）と、
前記接触端子（４０）を受容するよう構成された少なくとも１つの開口を備えるコネクタハウジング（２０）と、
を備えており、
前記システムは、前記コネクタハウジング（２０）とは別体のケーブル緊張緩和部材（１０）をさらに備えており、前記ケーブル緊張緩和部材（１０）は、緊張を緩和するためにケーブル（３０）に対して前記ケーブル緊張緩和部材（１０）を固定するためのケーブル固定手段（１１）を備えており、かつ、
前記部材（１０）は、対応する相手側コネクタ（５０）に前記部材（１０）を直接ロックするよう構成された一体型ロック手段（１２）をさらに備え、
前記緊張緩和部材（６）は、前記部材（１０）を前記コネクタハウジング（２０）に取り付けるために取付手段（１３ａ，１３ｂ）をさらに備えており、
前記取付手段（１３ａ，１３ｂ）は、前記緊張緩和部材（１０）が前記コネクタハウジング（２０）に取り付けられた場合に前記コネクタハウジング（２０）内に延在する部分を含み、
当該部分は、前記接触端子（４０）が、前記コネクタハウジング（２０）の前記開口におけるそのポジションから移動することを防止するよう構成されていることを特徴とする電気コネクタシステム。
【請求項２】
前記取付手段（１３ａ，１３ｂ）は、前記緊張緩和部材が前記コネクタハウジング（２０）に取り付けられた場合に、前記コネクタハウジング（２０）の一部を包囲する少なくとも１つのフックを備えており、
前記フックは、Ｕ字形状断面を有することを特徴とする請求項１に記載のコネクタシステム。
【請求項３】
前記接触端子（４０）が前記コネクタハウジング（２０）の前記少なくとも１つの開口内に設けられかつ前記緊張緩和部材（１０）が前記コネクタハウジング（２０）に取り付けられた場合に、前記取付手段（１３ａ，１３ｂ）は、端子位置保証、ＴＰＡ、をもたらすことを特徴とする請求項１または請求項２に記載のコネクタシステム。
【請求項４】
前記取付手段（１３ａ，１３ｂ）は、前記接触端子（４０）を、前記コネクタハウジング（２０）の前記開口におけるそのポジションに固定するために、前記接触端子（４０）のための二次ロックを提供することを特徴とする請求項１から請求項３のいずれか一項に記載のコネクタシステム。
【請求項５】
前記緊張緩和部材（１０）は、前記対応する相手側コネクタ（５０）に前記コネクタハウジング（２０）を取り外し可能にロックすることを特徴とする請求項１から請求項４のいずれか一項に記載のコネクタシステム。
【請求項６】
緊張緩和部材（１０）は、前記一体型ロック手段（１２）を支持する一体型フレキシブルウェブ（１５）をさらに備えており、
前記フレキシブルウェブ（１５）は、外力が前記フレキシブルウェブ（１５）に付与された場合に、前記対応する相手側コネクタ（５０）から前記一体型ロック手段（１２）を解放することを特徴とする請求項１から請求項５のいずれか一項に記載のコネクタシステム。
【請求項７】
前記一体型フレキシブルウェブ（１５）は、作動部材（１４）を含むことを特徴とする請求項６に記載のコネクタシステム。
【請求項８】
前記作動部材（１４）は、前記緊張緩和部材（１０）が前記相手側コネクタ（５０）にロックされた場合に、前記相手側コネクタ（５０）の外側に配置されることを特徴とする請求項７に記載のコネクタシステム。
【請求項９】
前記緊張緩和部材（１０）の前記作動部材（１４）は、前記相手側コネクタ（５０）から前記緊張緩和部材（１０）を解放するために、道具によって、特にネジ回しによって、作動可能であることを特徴とする請求項７または請求項８に記載のコネクタシステム。
【請求項１０】
前記一体型ロック手段（１２）がロック傾斜部であるか、あるいは前記一体型ロック手段（１２）がロック窓であることを特徴とする請求項１から請求項９のいずれか一項に記載のコネクタシステム。
【請求項１１】
前記緊張緩和部材（１０）の前記一体型ロック手段（１２）は、前記相手側コネクタ（５０）から前記緊張緩和部材（１０）の解放するために、道具によって、特にネジ回しによって、作動可能であることを特徴とする請求項１から請求項１０のいずれか一項に記載のコネクタシステム。
【請求項１２】
前記緊張緩和部材（１０）は、前記コネクタシステムの係合方向において前記緊張緩和部材（１０）の前記一体型ロック手段（１２）に外力が付与され場合に、前記相手側コネクタ（５０）から解放可能であることを特徴とする請求項１から請求項１１のいずれか一項に記載のコネクタシステム。
【請求項１３】
前記コネクタハウジング（２０）は、前記コネクタハウジング（２０）のための主要ロックを提供する、前記対応する相手側コネクタ（５０）に前記コネクタハウジング（２０）をロックするための一体型ロック手段を備えることを特徴とする請求項１から請求項１２のいずれか一項に記載のコネクタシステム。
【請求項１４】
前記接触端子（４０）は、前記コネクタハウジング（２０）の前記開口内に前記接触端子（４０）をロックするための主要ロック手段（４１）を備えており、
前記主要ロック手段（４１）はラッチランスであることを特徴とする請求項１から請求項１３のいずれか一項に記載のコネクタシステム。
【請求項１５】
前記コネクタハウジングは、前記緊張緩和部材が前記相手側コネクタにロックされる際に、前記相手側コネクタへの前記コネクタハウジングのさらなる挿入を防止するために前記相手側コネクタと相互作用するためのリブを備えることを特徴とする請求項１から請求項１４のいずれか一項に記載のコネクタシステム。
【請求項１６】
前記緊張緩和部材（１０）は、前記システムが完全に取り付けられた場合に、前記コネクタハウジング（２０）から前記ケーブル（３０）を離間させるためのスペーサ（１６）をさらに備えることを特徴とする請求項１から請求項１５のいずれか一項に記載のコネクタシステム。
【請求項１７】
前記スペーサ（１６）は２つの面（１７ａ，１７ｂ）を備えており、一方の面（１７ａ）は、前記コネクタハウジング（２０）に接触しており、かつ他方の面（１７ｂ）は、前記ケーブル（３０）のケーブルシース（３１）に接触していることを特徴とする請求項１６に記載のコネクタシステム。
【請求項１８】
前記システムは、対応する相手側コネクタ（５０）をさらに備えており、
前記相手側コネクタは、特に、前記コネクタハウジング（２０）および緊張緩和部材（１０）を収容するための少なくとも１つの開口を備えることを特徴とする請求項１から請求項１７のいずれか一項に記載のコネクタシステム。
【請求項１９】
前記相手側コネクタ（５０）は、前記緊張緩和部材（１０）に対して、特に前記相手側コネクタ（５０）から前記緊張緩和部材（１０）を解放するために前記緊張緩和部材（１０）の前記一体型ロック手段（１２）に対して、前記コネクタシステムの係合方向において外力を付与することを可能にするチャンネル（６１）を備えることを特徴とする請求項１８に記載のコネクタシステム。
【請求項２０】
前記相手側コネクタ（５０）の前記チャンネル（６１）は、前記コネクタシステムの係合方向に設けられていることを特徴とする請求項１９に記載のコネクタシステム。
【請求項２１】
前記相手側コネクタ（５０）の前記開口はステップ形状を有しており、
前記ステップ形状の開口の第１のステップは、前記緊張緩和部材（１０）が前記相手側コネクタ（５０）にロックされる場合に、前記相手側コネクタ（５０）への前記コネクタハウジング（２０）のさらなる挿入を防止するための前記コネクタハウジング（２０）のリブと相互作用するように構成されていることを特徴とする請求項１８から請求項２０のいずれか一項に記載のコネクタシステム。
【請求項２２】
前記システムは、前記接触端子（４０）に取り付けられるケーブル（３０）をさらに備えることを特徴とする請求項１から請求項２１のいずれか一項に記載のコネクタシステム。